【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
セルラー通信システムにおいてホストセルにサービスを提供するネットワークノードを動作させる方法であって、
１つ以上の第１タイムインターバルにおいて、無線周波数スペクトラムの第１帯域幅にわたって延在する第１制御チャネルで第１制御チャネル情報を送信するステップであって、当該第１制御チャネルは第１タイプの通信デバイスに前記ホストセルからのデータを受信させるために必要となる情報を通信するものであり、当該第１タイプの通信デバイスは前記無線周波数スペクトラムにおける前記第１帯域幅を有する信号を受信できるものである、前記ステップと、
１つ以上の第２タイムインターバルにおいて、第１のＭ−セルの第２制御チャネルで第２制御チャネル情報を送信するステップであって、当該第２制御チャネルは前記無線周波数スペクトラムの第２帯域幅を占有しており、前記第２帯域幅は前記第１帯域幅よりも狭く、前記１つ以上の第２タイムインターバルは前記１つ以上の第１タイムインターバルのいずれとも重複しておらず、これにより前記第１タイプの通信デバイスの受信可能帯域幅と比較して狭い受信可能帯域幅を有する第２タイプの通信デバイスが前記ネットワークノードによってサービスを提供されるようになる、前記ステップと
を有することを特徴とする方法。
【請求項２】
前記無線周波数スペクトラムの前記第２帯域幅は、前記無線周波数スペクトラムの前記第１帯域幅における周波数上の位置内に配置されていることを特徴とする請求項１に記載の方法。
【請求項３】
前記第２タイプの通信デバイスに情報を送信するステップをさらに有し、
前記情報は前記１つ以上の第２タイムインターバルが何であるかを通知する情報であることを特徴とする請求項１または２に記載の方法。
【請求項４】
前記第２タイプの通信デバイスに情報を送信するステップをさらに有し、
前記情報は前記無線周波数スペクトラムにおけるどの部分に前記無線周波数スペクトラムにおける前記第２帯域幅が配置されているかを通知する情報であることを特徴とする請求項１ないし３のいずれか１項に記載の方法。
【請求項５】
前記無線周波数スペクトラムにおけるどの部分に前記無線周波数スペクトラムにおける前記第２帯域幅が配置されているかを通知する前記情報は、前記無線周波数スペクトラムにおける第３帯域幅を占有するチャネル上で送信され、当該第３帯域幅は前記第１帯域幅よりも狭く、前記無線周波数スペクトラムの前記第２帯域幅の周波数上の位置は前記無線周波数スペクトラムの前記第３帯域幅の周波数上の位置と異なっていることを特徴とする請求項４に記載の方法。
【請求項６】
前記セルラー通信システムのエアインタフェースは連続したフレームに分割されており、各フレームは複数の連続したサブフレームを有しており、前記１つ以上の第１タイムインターバルはフレーム内の１つ以上のサブフレームにおいて生じ、前記１つ以上の第２タイムインターバルは当該フレーム内の他の１つ以上のサブフレームにおいて生じ、当該他の１つ以上のサブフレームは、前記無線周波数スペクトラムの前記第１帯域幅にわたって延在する制御チャネルで情報を送信するためには使用されないサブフレームであることを特徴とする請求項１ないし５のいずれか１項に記載の方法。
【請求項７】
前記フレームにおける前記他の１つ以上のサブフレームのうちの１つのサブフレームにおいて送信される前記第２制御チャネル情報は、前記第２タイプの通信デバイスについての１つ以上のダウンリンク物理データチャネルとして使用される前記他の１つ以上のサブフレームのうちの１つのサブフレーム内における１つ以上のタイムインターバルおよび／または周波数を示していることを特徴とする請求項６に記載の方法。
【請求項８】
前記フレームにおける前記他の１つ以上のサブフレームのうちの１つのサブフレームにおいて送信される前記第２制御チャネル情報は、前記第２タイプの通信デバイスについての１つ以上のダウンリンク物理データチャネルとして使用される前記他の１つ以上のサブフレームのうちの１つのサブフレーム内でより後の１つ以上のタイムインターバルおよび／または周波数を示していることを特徴とする請求項６に記載の方法。
【請求項９】
前記他の１つ以上のサブフレームの間は前記第１タイプの通信デバイスが前記第１制御チャネルの受信を試行しないようにするために、前記第１タイプの通信デバイスに対して信号を送信するステップをさらに有することを特徴とする請求項６に記載の方法。
【請求項１０】
前記セルラー通信システムのエアインタフェースは連続したフレームに分割されており、各フレームは複数の連続したサブフレームを有しており、
前記１つ以上の第１タイムインターバルはフレーム内の１つ以上のサブフレームにおいて生じ、
前記１つ以上の第２タイムインターバルは当該フレーム内の当該１つ以上のサブフレーム内の異なる時間において生じ、
前記１つ以上の第１タイムインターバルのいずれもが前記第２タイムインターバルのいずれとも重複していないことを特徴とする請求項１ないし４のいずれか１項に記載の方法。
【請求項１１】
システム情報を送信するステップをさらに有し、
当該システム情報は、前記第２タイプの通信デバイスに対して、
前記第１のＭ−セルにおけるランダムアクセスチャネルにアクセスするときに使用されるランダムアクセスパラメータと、
Ｍ−セルのサブフレームパターンであって、前記サブフレームパターンに関連付けられている各Ｍ−セルは前記第２帯域幅を有する前記無線周波数スペクトラムにおける予約された部分に対応している、当該サブフレームパターンと、
ホストセルのサブフレームパターンと、
ホストセルの前記サブフレームパターンを演繹的に推定可能にする情報と
のうち１つ以上を通知する情報であることを特徴とする請求項１ないし１０のいずれか１項に記載の方法。
【請求項１２】
ランダムアクセス送信信号を受信するステップと、
前記ランダムアクセス送信信号が前記第２タイプの通信デバイスからものであるか判定し、前記ランダムアクセス送信信号が前記第２タイプの通信デバイスからものであれば、前記無線周波数スペクトラムの前記第２帯域幅の時間上の位置および／または周波数上の位置を識別する情報を前記第２タイプの通信デバイスに送信することによって、当該第２タイプの通信デバイスをＭ−セルに配置させるステップと
をさらに有することを特徴とする請求項１に記載の方法。
【請求項１３】
１つ以上の第３タイムインターバルにおいて、前記第１のＭ−セルの第３制御チャネルで第３制御チャネル情報を送信するステップをさらに有し、前記第３制御チャネル情報は前記第２タイプの通信デバイスによって受信されることを意図された情報であり、前記１つ以上の第３タイムインターバルは、前記１つ以上の第１タイムインターバルまたは前記１つ以上の第２タイムインターバルのいずれとも重複していないことを特徴とする請求項１ないし１２のいずれか１項に記載の方法。
【請求項１４】
前記セルラー通信システムのエアインタフェースは連続したフレームに分割されており、各フレームは複数の連続したサブフレームを有しており、前記１つ以上の第２タイムインターバルはフレーム内の１つ以上のサブフレームにおいて生じ、前記１つ以上の第３タイムインターバルは当該フレーム内の当該サブフレーム内の他の１つ以上のタイムインターバルにおいて生じることを特徴とする請求項１３に記載の方法。
【請求項１５】
前記セルラー通信システムのエアインタフェースは連続したフレームに分割されており、各フレームは複数の連続したサブフレームを有しており、前記１つ以上の第２タイムインターバルはフレーム内の１つ以上のサブフレームにおいて生じ、前記１つ以上の第３タイムインターバルは当該フレーム内の他のサブフレーム内における１つ以上の他のタイムインターバルにおいて生じることを特徴とする請求項１３に記載の方法。
【請求項１６】
前記セルラー通信システムのエアインタフェースは連続したフレームに分割されており、各フレームは複数の連続したサブフレームを有しており、
前記１つ以上の第２タイムインターバルはフレーム内の１つ以上のサブフレームにおいて生じ、
前記方法はさらに、
１つ以上の第３タイムインターバルにおいて、第２のＭ−セルの第３制御チャネルで第３制御チャネル情報を送信するステップを有し、前記第３制御チャネルは前記無線周波数スペクトラムの第３帯域幅を占有しており、当該第３帯域幅は前記第１帯域幅よりも狭く、前記１つ以上の第３タイムインターバルは前記フレーム内の前記１つ以上のサブフレームにおいて生じ、前記第２タイムインターバルの１つ以上と重複しており、これにより前記第１タイプの通信デバイスの受信可能帯域幅と比較して狭い受信可能帯域幅を有する他の第２タイプの通信デバイスが前記ネットワークノードによってサービスを提供されるようになり、
前記無線周波数スペクトラムの前記第２帯域幅の周波数上の位置は、前記無線周波数スペクトラムの前記第３帯域幅の周波数上の位置とは異なっていることを特徴とする請求項１に記載の方法。
【請求項１７】
前記第１タイプの通信デバイスと通信するときに第１のハイブリッド自動再送要求（ＨＡＲＱ）プロトコルを使用するステップと、
前記第２タイプの通信デバイスと通信するときに第２のＨＡＲＱプロトコルを使用するステップと
をさらに有し、
前記第１のＨＡＲＱプロトコルについての１つ以上のタイミング要件は前記第２のＨＡＲＱプロトコルについての１つ以上のタイミング要件とは異なっていることを特徴とする請求項１ないし１６のいずれか１項に記載の方法。
【請求項１８】
前記ホストセルがサポートしている前記第２タイプの通信デバイスに関連した能力を識別する情報を送信するステップをさらに有することを特徴とする請求項１ないし１７のいずれか１項に記載の方法。
【請求項１９】
セルラー通信システムにおいて通信デバイスを制御する方法であって、当該通信デバイスは、無線周波数スペクトラムの所定の帯域幅だけで動作する無線機器を備えており、
前記方法は、
前記無線周波数スペクトラムの領域であって前記所定の帯域幅よりも狭い帯域幅の第１領域でセルサーチ手順を実行するように前記無線機器を動作させるステップと、
前記セルラー通信システムにおいてセルが見つかった後で、前記無線周波数スペクトラムの領域であって前記所定の帯域幅よりも狭い帯域幅の第２領域で前記無線機器が動作するように当該無線機器を同調させるステップと、
前記無線周波数スペクトラムの前記第２領域に対して同調している間に、前記セルラー通信システムによって送信されているシステム情報を受信するよう前記無線機器を動作させるステップと、
前記無線周波数スペクトラムの第３領域で前記無線機器が動作するように当該無線機器を同調させるステップと
を有し、前記無線周波数スペクトラムの前記第２領域と前記第３領域とのうち少なくとも１つは前記無線周波数スペクトラムの前記第１領域とは異なっていることを特徴とする方法。
【請求項２０】
前記セルラー通信システムにおいてセルが見つかった後で、前記無線周波数スペクトラムの第２領域で前記無線機器が動作するように当該無線機器を同調させる前記ステップは、
前記無線周波数スペクトラムの前記第１領域で送信されている情報であって、前記第２領域の周波数上での位置について前記通信デバイスに対して直接的または間接的に通知する情報を受信するステップと、
前記無線周波数スペクトラムの前記第２領域において前記無線機器が動作するように当該無線機器を同調させるステップと
を有することを特徴とする請求項１９に記載の方法。
【請求項２１】
前記情報は、前記セルラー通信システムによって前記システム情報がいつ送信されるかについて直接的にまたは間接的に前記通信デバイスに対して追加で通知することを特徴とする請求項２０に記載の方法。
【請求項２２】
前記無線周波数スペクトラムの前記第１領域および前記第２領域はともに前記無線周波数スペクトラムの領域であって、前記セルラー通信システムによって使用するために割り当てられている領域内に位置していることを特徴とする請求項１９ないし２１のいずれか１項に記載の方法。
【請求項２３】
セルラー通信システムにおいてホストセルにサービスを提供するネットワークノードを動作させる装置であって、
１つ以上の第１タイムインターバルにおいて、無線周波数スペクトラムの第１帯域幅にわたって延在する第１制御チャネルで第１制御チャネル情報を送信する回路であって、当該第１制御チャネルは第１タイプの通信デバイスに前記ホストセルからのデータを受信させるために必要となる情報を通信するものであり、当該第１タイプの通信デバイスは前記無線周波数スペクトラムにおける前記第１帯域幅を有する信号を受信できるものである、前記回路と、
１つ以上の第２タイムインターバルにおいて、第１のＭ−セルの第２制御チャネルで第２制御チャネル情報を送信する回路であって、当該第２制御チャネルは前記無線周波数スペクトラムの第２帯域幅を占有しており、前記第２帯域幅は前記第１帯域幅よりも狭く、前記１つ以上の第２タイムインターバルは前記１つ以上の第１タイムインターバルのいずれとも重複しておらず、これにより前記第１タイプの通信デバイスの受信可能帯域幅と比較して狭い受信可能帯域幅を有する第２タイプの通信デバイスが前記ネットワークノードによってサービスを提供されるようになる、前記回路と
を有することを特徴とする装置。
【請求項２４】
記無線周波数スペクトラムの前記第２帯域幅は、前記無線周波数スペクトラムの前記第１帯域幅における周波数上の位置内に配置されていることを特徴とする請求項２３に記載の装置。
【請求項２５】
前記第２タイプの通信デバイスに情報を送信する回路をさらに有し、
前記情報は前記１つ以上の第２タイムインターバルが何であるかを通知する情報である
ことを特徴とする請求項２３または２４に記載の装置。
【請求項２６】
前記第２タイプの通信デバイスに情報を送信する回路をさらに有し、
前記情報は前記無線周波数スペクトラムにおけるどの部分に前記無線周波数スペクトラムにおける前記第２帯域幅が配置されているかを通知する情報であることを特徴とする請求項２３ないし２５のいずれか１項に記載の装置。
【請求項２７】
前記無線周波数スペクトラムにおけるどの部分に前記無線周波数スペクトラムにおける前記第２帯域幅が配置されているかを通知する前記情報は、前記無線周波数スペクトラムにおける第３帯域幅を占有するチャネル上で送信され、当該第３帯域幅は前記第１帯域幅よりも狭く、前記無線周波数スペクトラムの前記第２帯域幅の周波数上の位置は前記無線周波数スペクトラムの前記第３帯域幅の周波数上の位置と異なっていることを特徴とする請求項２６に記載の装置。
【請求項２８】
前記セルラー通信システムのエアインタフェースは連続したフレームに分割されており、各フレームは複数の連続したサブフレームを有しており、前記１つ以上の第１タイムインターバルはフレーム内の１つ以上のサブフレームにおいて生じ、前記１つ以上の第２タイムインターバルは当該フレーム内の他の１つ以上のサブフレームにおいて生じ、当該他の１つ以上のサブフレームは、前記無線周波数スペクトラムの前記第１帯域幅にわたって延在する制御チャネルで情報を送信するためには使用されないサブフレームであることを特徴とする請求項２３ないし２７のいずれか１項に記載の装置。
【請求項２９】
前記フレームにおける前記他の１つ以上のサブフレームのうちの１つのサブフレームにおいて送信される前記第２制御チャネル情報は、前記第２タイプの通信デバイスについての１つ以上のダウンリンク物理データチャネルとして使用される前記他の１つ以上のサブフレームのうちの１つのサブフレーム内における１つ以上のタイムインターバルおよび／または周波数を示していることを特徴とする請求項２８に記載の装置。
【請求項３０】
前記フレームにおける前記他の１つ以上のサブフレームのうちの１つのサブフレームにおいて送信される前記第２制御チャネル情報は、前記第２タイプの通信デバイスについての１つ以上のダウンリンク物理データチャネルとして使用される前記他の１つ以上のサブフレームのうちの１つのサブフレーム内でより後の１つ以上のタイムインターバルおよび／または周波数を示していることを特徴とする請求項２８に記載の装置。
【請求項３１】
前記他の１つ以上のサブフレームの間は前記第１タイプの通信デバイスが前記第１制御チャネルの受信を試行しないようにするために、前記第１タイプの通信デバイスに対して信号を送信する回路をさらに有することを特徴とする請求項２８に記載の装置。
【請求項３２】
前記セルラー通信システムのエアインタフェースは連続したフレームに分割されており、各フレームは複数の連続したサブフレームを有しており、
前記１つ以上の第１タイムインターバルはフレーム内の１つ以上のサブフレームにおいて生じ、
前記１つ以上の第２タイムインターバルは当該フレーム内の当該１つ以上のサブフレーム内の異なる時間において生じ、
前記１つ以上の第１タイムインターバルのいずれもが前記第２タイムインターバルのいずれとも重複していない
ことを特徴とする請求項２３ないし２６のいずれか１項に記載の装置。
【請求項３３】
システム情報を送信する回路をさらに有し、
当該システム情報は、前記第２タイプの通信デバイスに対して、
前記第１のＭ−セルにおけるランダムアクセスチャネルにアクセスするときに使用されるランダムアクセスパラメータと、
Ｍ−セルのサブフレームパターンであって、前記サブフレームパターンに関連付けられている各Ｍ−セルは前記第２帯域幅を有する前記無線周波数スペクトラムにおける予約された部分に対応している、当該サブフレームパターンと、
ホストセルのサブフレームパターンと、
ホストセルの前記サブフレームパターンを演繹的に推定可能にする情報と
のうち１つ以上を通知する情報であることを特徴とする請求項２３ないし３２のいずれか１項に記載の装置。
【請求項３４】
ランダムアクセス送信信号を受信する回路と、
前記ランダムアクセス送信信号が前記第２タイプの通信デバイスからものであるか判定し、前記ランダムアクセス送信信号が前記第２タイプの通信デバイスからものであれば、前記無線周波数スペクトラムの前記第２帯域幅の時間上の位置および／または周波数上の位置を識別する情報を前記第２タイプの通信デバイスに送信することによって、当該第２タイプの通信デバイスをＭ−セルに配置させる回路と
をさらに有することを特徴とする請求項２３に記載の装置。
【請求項３５】
１つ以上の第３タイムインターバルにおいて、前記第１のＭ−セルの第３制御チャネルで第３制御チャネル情報を送信する回路をさらに有し、前記第３制御チャネル情報は前記第２タイプの通信デバイスによって受信されることを意図された情報であり、前記１つ以上の第３タイムインターバルは、前記１つ以上の第１タイムインターバルまたは前記１つ以上の第２タイムインターバルのいずれとも重複していないことを特徴とする請求項２３ないし３４のいずれか１項に記載の装置。
【請求項３６】
前記セルラー通信システムのエアインタフェースは連続したフレームに分割されており、各フレームは複数の連続したサブフレームを有しており、前記１つ以上の第２タイムインターバルはフレーム内の１つ以上のサブフレームにおいて生じ、前記１つ以上の第３タイムインターバルは当該サブフレーム内の他の１つ以上のタイムインターバルにおいて生じることを特徴とする請求項３５に記載の装置。
【請求項３７】
前記セルラー通信システムのエアインタフェースは連続したフレームに分割されており、各フレームは複数の連続したサブフレームを有しており、前記１つ以上の第２タイムインターバルはフレーム内の１つ以上のサブフレームにおいて生じ、前記１つ以上の第３タイムインターバルは当該フレーム内の他のサブフレーム内における１つ以上の他のタイムインターバルにおいて生じることを特徴とする請求項３５に記載の装置。
【請求項３８】
前記セルラー通信システムのエアインタフェースは連続したフレームに分割されており、各フレームは複数の連続したサブフレームを有しており、
前記１つ以上の第２タイムインターバルはフレーム内の１つ以上のサブフレームにおいて生じ、
前記装置はさらに、
１つ以上の第３タイムインターバルにおいて、第２のＭ−セルの第３制御チャネルで第３制御チャネル情報を送信する回路を有し、前記第３制御チャネルは前記無線周波数スペクトラムの第３帯域幅を占有しており、当該第３帯域幅は前記第１帯域幅よりも狭く、前記１つ以上の第３タイムインターバルは前記フレーム内の前記１つ以上のサブフレームにおいて生じ、前記第２タイムインターバルの１つ以上と重複しており、これにより前記第１タイプの通信デバイスの受信可能帯域幅と比較して狭い受信可能帯域幅を有する他の第２タイプの通信デバイスが前記ネットワークノードによってサービスを提供されるようになり、
前記無線周波数スペクトラムの前記第２帯域幅の周波数上の位置は、前記無線周波数スペクトラムの前記第３帯域幅の周波数上の位置とは異なっていることを特徴とする請求項２３に記載の装置。
【請求項３９】
前記第１タイプの通信デバイスと通信するときに第１のハイブリッド自動再送要求（ＨＡＲＱ）プロトコルを使用する回路と、
前記第２タイプの通信デバイスと通信するときに第２のＨＡＲＱプロトコルを使用する回路と
をさらに有し、
前記第１のＨＡＲＱプロトコルについての１つ以上のタイミング要件は前記第２のＨＡＲＱプロトコルについての１つ以上のタイミング要件とは異なっていることを特徴とする請求項２３ないし３８のいずれか１項に記載の装置。
【請求項４０】
前記ホストセルがサポートしている前記第２タイプの通信デバイスに関連した能力を識別する情報を送信する回路をさらに有することを特徴とする請求項２３ないし３９のいずれか１項に記載の装置。
【請求項４１】
セルラー通信システムにおいて通信デバイスを制御する装置であって、当該通信デバイスは、無線周波数スペクトラムの所定の帯域幅だけで動作する無線機器を備えており、
前記装置は、
前記無線周波数スペクトラムの領域であって前記所定の帯域幅よりも狭い帯域幅の第１領域でセルサーチ手順を実行するように前記無線機器を動作させる回路と、
前記セルラー通信システムにおいてセルが見つかった後で、前記無線周波数スペクトラムの領域であって前記所定の帯域幅よりも狭い帯域幅の第２領域で前記無線機器が動作するように当該無線機器を同調させる回路と、
前記無線周波数スペクトラムの前記第２領域に対して同調している間に、前記セルラー通信システムによって送信されているシステム情報を受信するよう前記無線機器を動作させる回路と、
前記無線周波数スペクトラムの第３領域で前記無線機器が動作するように当該無線機器を同調させる回路と
を有し、前記無線周波数スペクトラムの前記第２領域と前記第３領域とのうち少なくとも１つは前記無線周波数スペクトラムの前記第１領域とは異なっていることを特徴とする装置。
【請求項４２】
前記無線周波数スペクトラムの第２領域で前記無線機器が動作するように当該無線機器を同調させる前記回路は、
前記セルラー通信システムにおいてセルが見つかった後で、
前記無線周波数スペクトラムの前記第１領域で送信されている情報であって、前記第２領域の周波数上での位置について前記通信デバイスに対して直接的または間接的に通知する情報を受信し、
前記無線周波数スペクトラムの前記第２領域において前記無線機器が動作するように当該無線機器を同調させる
回路を有していることを特徴とする請求項４１に記載の装置。
【請求項４３】
前記情報は、前記セルラー通信システムによって前記システム情報がいつ送信されるかについて直接的にまたは間接的に前記通信デバイスに対して追加で通知することを特徴とする請求項４２に記載の装置。
【請求項４４】
前記無線周波数スペクトラムの前記第１領域および前記第２領域はともに前記無線周波数スペクトラムの領域であって、前記セルラー通信システムによって使用するために割り当てられている領域内に位置していることを特徴とする請求項４１ないし４３のいずれか１項に記載の装置。